(57)【要約】      （修正有）【課題】操作が簡単で手間を省き、眼鏡レンズと眼鏡フレームとに傷をつけない半縁なし眼鏡フレームと眼鏡レンズとの連結構造を提供する。【解決手段】半縁なし眼鏡における半縁なしフレーム１とレンズ２との連結構造において、レンズの一端部に突出して形成された係合部２１と、半縁なしフレームの両端に形成され、レンズの係合部を差し込む収容溝１１と、収容溝に回転自在に取り付けられる回転体３と、回転体の一端に形成され、収容溝に差し込まれたレンズの係合部に当接する当接部とを有し、収容溝に係合部を差し込んで回転体を収容溝側に回転させ、当接部を係合部に当接させて係合部が収容溝から脱出しないように規制する構成とした。【選択図】図１
0003198464.tif 000002
【実用新案登録請求の範囲】
【請求項１】
半縁なし眼鏡における半縁なしフレーム（１）とレンズ（２）との連結構造において、
前記レンズ（２）の一端部に突出して形成された係合部（２１）と、
半縁なしフレーム（１）の両端に形成され、前記レンズ（２）の前記係合部（２１）を差し込む収容溝（１１）と、
この収容溝（１１）に回転自在に取り付けられる回転体（３）と、
この回転体（３）の一端に形成され、前記収容溝（１１）に差し込まれた前記レンズの係合部（２１）に当接する当接部（３３）とを有し、
前記収容溝（１１）に前記係合部（２１）を差し込んで前記回転体（３）を前記収容溝（１１）側に回転させ、前記当接部（３３）を前記係合部に当接させて前記係合部が前記収容溝から脱出しないように規制すること、
を特徴とする半縁なし眼鏡フレームと眼鏡レンズとの連結構造。
【請求項２】
前記収容溝（１１）には前記回転体（３）の他端が回転自在に軸支されていることを特徴とする請求項１に記載の半縁なし眼鏡フレームと眼鏡レンズとの連結構造。
【請求項３】
前記レンズ（２）の他端部に形成された係合部（２３）と、前記半縁なしフレーム（１）のブリッジ側に設けられた被係合部（１５）とを有し、前記係合部（２３）と被係合部（１５）とを係合させることで前記レンズを前記半縁なしフレームに位置決めして固定することを特徴とする請求項１又は２に記載の半縁なし眼鏡フレームと眼鏡レンズとの連結構造。
【請求項４】
前記レンズ（２）の外端側面に第一凹部（２２）を形成し、前記第一凹部（２２）の上部に前記突出部（２１）を形成し、前記第一凹部（２２）を前記収容溝（１１）の下側構造（１２）に嵌合させることを特徴とする請求項１〜３のいずれかに記載の半縁なし眼鏡フレームと眼鏡レンズとの連結構造。
【請求項５】
前記回転体（３）の一端に第二凹部（３２）を形成して前記回転体の一端を二つの部分に分割し、その一方を前記レンズ（２）の突出部（２１）に当接する当接部とし、その他方を前記回転体（３）を回転させるハンドルとして形成したことを特徴とする請求項１〜４のいずれかに記載の半縁なし眼鏡フレームと眼鏡レンズとの連結構造。
【請求項６】
請求項１〜５のいずれかに記載の半縁なし眼鏡フレームと眼鏡レンズとの連結構造を有することを特徴とする半縁なし眼鏡。
【請求項７】
二つの半縁なしフレーム１の先端にはテンプルの先端が回転できるように連結され、半縁なしフレームには形成された回り止め部によって、展開状態の前記テンプルが所定角度以上展開方向に回動しないように規制することを特徴とする請求項６に記載の半縁なし眼鏡。
【請求項８】
前記半縁なしフレームにテンプル連結用の凹溝が形成され、前記テンプルに前記凹部に嵌合する延伸部が形成され、前記凹溝には前記延伸部が回転できるように取り付けられ、前記凹溝の溝底部が前記回り止め部を形成することを特徴とする請求項７に記載の半縁なし眼鏡。
【考案の詳細な説明】
【技術分野】
【０００１】
本考案は眼鏡に関し、特に半縁なし眼鏡フレームと眼鏡レンズとの連結構造及び眼鏡に関する。
【背景技術】
【０００２】
眼鏡は人々の生活によく使うもので、市販の眼鏡は縁眼鏡と、半縁なし眼鏡と、縁なし眼鏡とに分けることができる。その中では、半縁なし眼鏡の眼鏡フレームには二つの半フレームがあり、眼鏡レンズと、眼鏡テンプルとを取り付けることに使う。従来の半縁なし眼鏡における眼鏡レンズと眼鏡フレームとの間は固定連結構造であるため、眼鏡レンズと眼鏡フレームとを取り外すことが面倒である（例えば特許文献１参照）。
従来技術の中には、特許文献２〜４に示すように嵌め付けや係合により眼鏡フレームと眼鏡レンズとを取り付けるものがあるが、眼鏡レンズを着脱する際に大きい力がかかるうえに（強制的な動き）、ある程度の熟練も必要となり、着脱が不便で、眼鏡やレンズに傷を付けやすいという問題がある。
【先行技術文献】
【特許文献】
【０００３】
【特許文献１】特開２００８−５１８３７号（図２等参照）
【特許文献２】特開２００１−２１５４４９号公報
【特許文献３】特開２００４−２５２２９３号公報
【特許文献４】特開２００３−４３４２３号公報
【考案の開示】
【考案が解決しようとする課題】
【０００４】
本考案は、従来技術の上記欠点を克服し、操作が簡単で手間を省き、眼鏡レンズと眼鏡フレームとに傷をつけない半縁なし眼鏡フレームと眼鏡レンズとの連結構造及び眼鏡の提供を目的とする。
【課題を解決するための手段】
【０００５】
上記課題を解決するために、本考案の半縁なし眼鏡フレームと眼鏡レンズとの連結構造は、半縁なし眼鏡における半縁なしフレーム（１）とレンズ（２）との連結構造において、前記レンズ（２）の一端部に突出して形成された係合部（２１）と、半縁なしフレーム（１）の両端に形成され、前記レンズ（２）の前記係合部（２１）を差し込む収容溝（１１）と、この収容溝（１１）に回転自在に取り付けられる回転体（３）と、この回転体（３）の一端に形成され、前記収容溝（１１）に差し込まれた前記レンズの係合部（２１）に当接する当接部（３３）とを有し、前記収容溝（１１）に前記係合部（２１）を差し込んで前記回転体（３）を前記収容溝（１１）側に回転させ、前記当接部（３３）を前記係合部に当接させて前記係合部が前記収容溝から脱出しないように規制する構成としてある。
前記収容溝（１１）には前記回転体（３）の他端が回転自在に軸支されていてもよい。
【０００６】
前記レンズ（２）の他端部に形成された係合部（２３）と、前記半縁なしフレーム（１）のブリッジ側に設けられた被係合部（１５）とを有し、前記係合部（２３）と被係合部（１５）とを係合させることで前記レンズを前記半縁なしフレームに位置決めして固定してもよい。
前記レンズ（２）の外端側面に第一凹部（２２）を形成し、前記第一凹部（２２）の上部に前記突出部（２１）を形成し、前記第一凹部（２２）を前記収容溝（１１）の下側構造（１２）に嵌合させるようにしてもよい。
前記回転体（３）の一端に第二凹部（３２）を形成して前記回転体の一端を二つの部分に分割し、その一方を前記レンズ（２）の突出部（２１）に当接する当接部とし、その他方を前記回転体（３）を回転させるハンドルとして形成してもよい。
【０００７】
本考案の半縁なし眼鏡は、上記の縁なし眼鏡フレームと眼鏡レンズとの連結構造を有するものである。
二つの半縁なしフレーム１の先端にはテンプルの先端が回転できるように連結され、半縁なしフレームには形成された回り止め部によって、展開状態の前記テンプルが所定角度以上展開方向に回動しないように規制する構成としてもよい。
前記半縁なしフレームにテンプル連結用の凹溝が形成され、前記テンプルに前記凹部に嵌合する延伸部が形成され、前記凹溝には前記延伸部が回転できるように取り付けられ、前記凹溝の溝底部が前記回り止め部を形成した構成としてもよい。
【考案を実施するための最良の形態】
【０００８】
図１ないし図４に示すように、本考案の半縁なし眼鏡フレームと眼鏡レンズとの連結構造が適用される眼鏡は、半縁無し眼鏡フレームと、これに保持される二つの眼鏡レンズ２とを有する。半縁無し眼鏡フレームは一体に接続された二つの半フレーム１を有する。
二つの半フレーム１のそれぞれ外端部の裏側には、内側に開放する収容溝１１があり、二つの眼鏡レンズ２のそれぞれの外端側面には突出部２１が設置されている。この突出部２１は半フレーム1の収容溝１１に収容される。また、二つの半フレーム1の外端部の裏側には、それぞれ一つの回転体３が回転できるように設置されている。そして、この回転体３を回転することによって、その一端を眼鏡レンズ２の突出部２１に当接させることで、眼鏡レンズ２の突出部２１を半フレーム１の収容溝１１で規制する。眼鏡レンズ２の内端と半フレーム１の内端との間には、取り外し可能な位置決め構造がお互いに合わせて設置される。
【０００９】
好ましい実施例には、収容溝１１には回転体３のもう一端が回転できるように設置される。回転体３を収容溝１１の内部の方に沿って回転させることで、その一端を眼鏡レンズ２の突出部２１に接触させる。具体的には、回転体３はバルブ構造で、そのもう一端には上下に貫通する第一ホール３１が形成され、この第一ホール３１に第一ピン軸４を通して、第一ピン軸４を収容溝１１の上溝壁と、下溝壁との間に挿入する。これにより、回転体３が第一ピン軸４を軸に回転できるように設けられる。
【００１０】
好ましい実施例には、前記取り外し可能な位置決め構造には、前記眼鏡レンズ２の内端に設置された前後開口のクランプ溝２３（図２参照）と、半フレーム１の内端に設置されたクランプ突出部１５とがあり、クランプ溝２３と、クランプ突出部１５とをお互いに係合させる。なお、クランプ溝を半フレーム1の内端側に形成し、クランプ突出部を眼鏡レンズ２の内端側に形成してもよい。
【００１１】
好ましい実施例には、眼鏡レンズ２の外端側面に第一凹部２２（図２参照）を形成し、この第一凹部２２の上部に突出部２１を形成する。第一凹部２２を収容溝１１の下側構造１２とお互いに合わせて嵌め付ける。
【００１２】
好ましい実施例には、回転体３の一端には第二凹部３２を形成し、第二凹部３２によって回転体３の一端部分を二つの支部３３，３４に分離する。そして一方の支部（当接部）３３が眼鏡レンズ２の突出部２１に当接するようにし、他方の支部３３は回転ハンドルを形成するようにする。
【００１３】
本考案の一つの半縁なし眼鏡フレームと、眼鏡レンズとの連結構造には、眼鏡レンズ２を取り付ける時、まず眼鏡レンズ２外端の突出部２１を半フレーム１の収容溝１１に収容する。そして、眼鏡レンズ２内端のクランプ溝２３を半フレーム１内端のクランプ突出部１５と係合させてクランプする。この後、回転体３を収容溝１１の裏の方に沿って押し、回転体３を回転させてから、その一端の支部３３を眼鏡レンズ２の突出部２１に当接させ、眼鏡レンズ２の突出部２１を半フレーム１の収容溝１１にきっちりと嵌め込む。このようにして、眼鏡レンズ２を眼鏡フレームと連結して固定する。
【００１４】
眼鏡レンズ２を取り外すときは、回転体３の一つの支部３４（回転ハンドル）を引っ張って、回転体３を取付け時とは逆に回転させてから、その一端の支部３３を眼鏡レンズ２の突出部２１から離間させ、眼鏡レンズ２外端の突出部２１に隙間を形成させる。この後、眼鏡レンズ２の突出部２１を半フレーム１の収容溝１１から取り外して、同時に眼鏡レンズ２内端のクランプ溝２３を半フレーム１内端のクランプ突出部１５から外すことで、眼鏡レンズ２を簡単に取り外すことができる。
【００１５】
図１ないし図４に示すように、本考案の一つの眼鏡には、二つのテンプル５と、半縁なし眼鏡フレーム１と、眼鏡レンズ２の連結構造とを備えていて、二つのテンプル５の先端を別々に二つの半フレーム１の外端に連結する。
【００１６】
好ましい実施例には、二つの半フレーム1の外端には二つのテンプル５の先端が別々に回転できるように取り付けられ。そして、二つの半フレーム１後端の外側には回り止め壁１４が形成されて、展開状態のテンプル５本体が必要以上に外側に展開しないように規制する。
【００１７】
好ましい実施例には、二つの半フレーム１外端の裏側面には、それぞれ外側に開放する凹溝１３が形成され、二つのテンプル５の先端にはそれぞれ延伸部５１が形成されている。そして、凹溝１３は嵌め込まれた延伸部５１が折り畳み側に回転できるように形成される。凹溝１３の溝底部が回り止め壁１４を形成する。具体的には、テンプル５の延伸部５１には上下に貫通する第二ホール５２が形成され、この第二ホール５２に第二ピン軸６を挿通させる。そして、第二ピン軸６を凹溝１３の上溝壁と下溝壁との間に通す。これにより第二ピン軸６を軸としてテンプル５が折り畳み及び展開方向に回転できる。
【００１８】
本考案の一つのメガネでは、眼鏡レンズ２を取り外すとき、逆の方へ回転体３を回転するだけで、回転体３の一端を眼鏡レンズ２の突出部２１から離させてから、眼鏡レンズ２の突出部２１に間隔を空けることによって、眼鏡レンズ２を眼鏡フレームから取り外すことができる。従来技術と比べると、本考案には、眼鏡レンズ２の取り外しが容易で、手間を省き、眼鏡レンズ２や眼鏡フレームに傷をつけないという利点がある。
【００１９】
以上のように、本実施例はただ考案の一つの半縁なし眼鏡フレームと眼鏡レンズの連結構造を開示したが，本考案のデザインアイディアはこれに限定されるものではなく，当業者が，本考案のアイディアと範囲に基づいて色々変形させることは可能であり，それらは本考案の請求項の保護範囲から排除するものではない。
【００２０】
本考案の好適な実施形態について説明したが、本考案の連結構造は上記のものに限られない。
【図面の簡単な説明】
【００２１】
【図１】本考案の分解組立図を示す。
【図２】本考案の眼鏡レンズの説明図を示す。
【図３】本考案の回転体の説明図を示す。
【図４】本考案の組立説明図を示す。
【符号の説明】
【００２２】
１          半フレーム
１１        収容溝
１２        下側構造
１３        凹溝
１４        回り止め壁
１５        クランプ突出部
２          眼鏡レンズ
２１        突出部
２３        クランプ溝
３          回転体
３１        第一ホール
３３        支部（当接部）
３４        支部（回転ハンドル）
４          第一ピン軸
５          テンプル
【図１】
0003198464.tif 000003
【図２】
0003198464.tif 000004
【図３】
0003198464.tif 000005
【図４】
0003198464.tif 000006